(57)【要約】【課題】温度変化によってトルクのばらつきがなく、安定したトルクが得られて操作性の良い回転操作部材を備える電子機器を提供する。【解決手段】固定部材３０５と、固定部材３０５に固定された内部構造部材３０２と、固定部材３０５と内部構造部材３０２との間で、回転自在に狭持保持された回転操作部材３１０と、回転操作部材３１０の回転軸周りに配置され、回転操作部材の回転軸方向に対して、傾斜して内部構造部材３０２に固定された複数の弾性部材３８０とを備える電子機器を設ける。弾性部材３８０の角部３８０ｄ、３８０ｅが回転操作部材３１０の内側面を押圧することなく、弾性部材３８０の中央縁部３８０ｂが、回転操作部材３１０の内側面を押圧する。【選択図】図７
2017054031.tif 000002
【特許請求の範囲】
【請求項１】
固定部材と、
前記固定部材に固定された内部構造部材と、
前記固定部材と前記内部構造部材との間で、回転自在に狭持保持された回転操作部材と、
前記回転操作部材の回転軸周りに配置され、回転操作部材の回転軸方向に対して、傾斜して前記内部構造部材に固定された複数の弾性部材と、を備え、
前記弾性部材の角部が前記回転操作部材の内側面を押圧することなく、前記弾性部材の中央縁部が、前記回転操作部材の内側面を押圧する
ことを特徴とする電子機器。
【請求項２】
前記複数の弾性部材は、前記回転軸周りに同一角度で均等に配置されている
ことを特徴とする請求項１に記載の電子機器。
【請求項３】
前記角部は、前記回転操作部材の内側面を押圧する前記中央縁部よりも、前記回転操作部材の回転軸へ向かって内側に配置される
ことを特徴とする請求項１または請求項２に記載の電子機器。
【請求項４】
前記弾性部材は、四角形状である
ことを特徴とする請求項１乃至３のいずれか１項に記載の電子機器。
【請求項５】
前記内部構造部材は、ネジによって前記固定部材に固定され、
前記弾性部材は、前記ネジの近傍に配置される
ことを特徴とする請求項１乃至４のいずれか１項に記載の電子機器。
【請求項６】
前記回転操作部材に位置規制固定され、前記回転操作部材の回転操作に伴って回転してクリック感を発生させる環状板部材を備える
ことを特徴とする請求項１乃至５のいずれか１項に記載の電子機器。
【請求項７】
前記環状板部材には、周方向に複数の切り欠き部が形成されているとともに、球形状部材が当接し、
前記回転操作部材の回転操作によって、前記球形状部材と前記切り欠き部とが係合する状態と係合しない状態とが繰り返すことによって、前記クリック感が発生する
ことを特徴とする請求項６に記載の電子機器。
【請求項８】
前記球形状部材の中心位置と前記回転操作部材の回転軸とを結んだ直線を直線Ｖ１、前記複数の弾性部材のうちの第１の弾性部材と前記回転軸とを結んだ直線を直線Ｖ２、前記複数の弾性部材のうちの第２の弾性部材と前記回転軸とを結んだ直線を直線Ｖ３とすると、前記直線Ｖ１と前記直線Ｖ２とがなす角度は、前記直線Ｖ１と前記直線Ｖ３とがなす角度と同一の角度である
ことを特徴とする請求項７に記載の電子機器。
【請求項９】
請求項１乃至８のいずれか１項に記載の電子機器として機能する撮像装置。
【発明の詳細な説明】
【技術分野】
【０００１】
本発明は、電子機器および撮像装置に関する。
【背景技術】
【０００２】
回転操作部材を備える撮像装置等の電子機器が提案されている。この電子機器では、例えば、回転操作部材と回転軸受け部との間に、ゴムリングが狭持されて、回転時に適度なトルクを発生させるようにしている。回転操作部材と回転軸受け部との間に、ゴムリングが狭持された電子機器では、以下のような課題がある。組み付け誤差を考慮して、ゴムリングの内径は、単体の状態では、固定する回転軸受け部の外径よりも小さく、ゴムリングは伸び広げられながら組み込まれる。したがって、回転軸受け部に吸着してしまい、摩擦抵抗が大きくなりすぎて、所定のトルクを得ることが困難である。摩擦抵抗を少なくするために、回転軸受け部に潤滑剤等を塗布し、摩擦抵抗を下げることが考えられるが、この構成では、塗布量のばらつきや、ゴムリングに潤滑剤が浸み込んで膨潤し、トルクがばらつき操作感触が安定しないことがある。
【０００３】
特許文献１は、回転体の上面と軸受け部材の裏面でＯリングを挟持するとともに、回転体の上面に複数の溝部を形成した回転型電気部品を開示している。
【先行技術文献】
【特許文献】
【０００４】
【特許文献１】特開２０１１−２１０５０７号公報
【発明の概要】
【発明が解決しようとする課題】
【０００５】
しかし、特許文献１が開示する回転型電気部品が備えるＯリング等のゴムリングは、材質がシリコンゴムであり、低温時には硬化するという特性がある。また、ゴムリングは、回転操作部材全周にリング形状で形成され、その線径も細い場合が多く、温度変化による形状の変形が顕著に表れる。したがって、低温時にはゴムリングが硬化して、回転時のトルクにばらつきが発生し、操作感が安定しない。
【０００６】
本発明は、温度変化によってトルクのばらつきがなく、安定したトルクが得られて操作性の良い回転操作部材を備える電子機器の提供を目的とする。
【課題を解決するための手段】
【０００７】
本発明の一実施形態の電子機器は、固定部材と、前記固定部材に固定された内部構造部材と、前記固定部材と前記内部構造部材との間で、回転自在に狭持保持された回転操作部材と、前記回転操作部材の回転軸周りに配置され、回転操作部材の回転軸方向に対して、傾斜して前記内部構造部材に固定された複数の弾性部材とを備える。前記弾性部材の角部が前記回転操作部材の内側面を押圧することなく、前記弾性部材の中央縁部が、前記回転操作部材の内側面を押圧する。
【発明の効果】
【０００８】
本発明によれば、温度変化によってトルクのばらつきがなく、安定したトルクが得られて操作性の良い回転操作部材を備える電子機器を提供できる。
【図面の簡単な説明】
【０００９】
【図１】本実施形態の電子機器の外観斜視図である。
【図２】電子機器の分解斜視図の一例である。
【図３】フロントカバーユニットの分解斜視図である。
【図４】フロントカバーユニットの背面側の構成例を示す図である。
【図５】フロントカバーユニットの正面側の構成例を示す図である。
【図６】フロントカバーユニットの正面図の一例である。
【図７】図６のＢ−Ｂ断面を示す図である。
【図８】図５中のＡ部の詳細を示す図である。
【図９】回転操作部ユニットの分解斜視図である。
【図１０】図４のＥ−Ｅ断面を示す図である。
【図１１】回転操作部材ユニットの背面側の構成例を示す図である。
【図１２】フロントカバーユニットの正面側の構成例を示す図である。
【発明を実施するための形態】
【００１０】
（実施例１）
図１は、本実施形態の電子機器の外観斜視図である。
図１に示す電子機器は、撮像装置であり、この例ではデジタルカメラである。図１中の１０１は、デジタルカメラの電源のＯＮ，ＯＦＦ機能を持つ電源ボタンである。１０２は、撮影準備、及び撮影開始を指示するためのレリーズボタンである。１０３は、ズームレバーである。ズームレバー１０３は、光学式変倍機能或いはデジタル式変倍機能において、その倍率を調節操作するために用いられる。
【００１１】
ズームレバー１０３は、レリーズボタン１０２の中心に対し所定の角度まで回動可能である。１０４は、撮影した画像を再生表示するための再生ボタンである。１０５は、様々な撮影モードを切り替えることが可能なモードダイヤルである。１０７は、ＡＦ補助光ＬＥＤを保護する窓である。１０９，１１０は、ストラップ紐を挿通させるストラップ取り付け部である。２００は、閃光発光装置である。また、５００は、沈胴式鏡筒レンズである。
【００１２】
閃光発光装置２００は、解除レバー１０６を左右方向に移動させると、閃光部がポップアップし、閃光可能状態になる。図１に示す状態では、閃光発光装置２００は収納されている。沈胴式鏡筒レンズ５００の外周側には、各種パラメータの設定値を変更する際に操作する回転式の操作部材（回転操作部材）を有する回転操作部材ユニット３５０が設けられている。
【００１３】
図２は、電子機器の分解斜視図の一例である。
１００は、トップカバーユニットである。２００は、閃光発光装置である。３００は、回転操作部材ユニット３５０を備えているフロントカバーユニットである。４１０は、三脚を取り付ける三脚ネジ部である。沈胴式鏡筒レンズ５００は、金属シャーシ４００に保持されている。２２０は、左側面カバーである。２１０は、右側面カバーである。４２０は、不図示の背面操作釦を具備しているリアカバーユニットである。９００は、液晶表示部ユニットである。
【００１４】
図３は、フロントカバーユニットの分解斜視図である。
３０１はフロントカバーであり、一般的にアルミニウムの板材で形成される。回転操作部材ユニット３５０は、正面側の外観部品である固定部材３０５と内部構造部材３０２とで、回転可能に狭持保持されている。回転操作部材ユニット３５０は、回転操作可能であり、固定部材３０５との間には、回転の摺動性を良くし、回転操作部材の回転軸方向（スラスト方向）のガタつきを抑制するために摺動シート３０４が配置されている。また、フレキシブル配線基板３４０には、後述するフォトリフレクタ３４１、３４２が実装される。保持部材３０６は、基板３４０を保持し、内部構造部材３０２に固定する。鋼球３０７は、後述するクリック機構の一部である。
【００１５】
図４は、フロントカバーユニットの背面側の構成例を示す図である。
図４（Ａ）は、フロントカバーユニット３００の背面側を示す。図４（Ｂ）は、図４（Ａ）のＤ−Ｄ断面を示す。図４（Ｂ）に示すように、回転操作部材３１０は、固定部材３０５と内部構造部材３０２とで回転可能に狭持されている。また、回転操作部材３１０は、アルミ材を切削加工することで形成され、外周は凹凸状に、その表面はブラスト処理によって粗い表面に仕上げられる。この加工により、指が滑り難くなり、操作性を高めている。固定部材３０５と内部構造部材３０２とは、図３に示すネジ３７０ａ、３７０ｂ、３７０ｃの３本で固定されている。
【００１６】
図５は、フロントカバーユニットの正面側の構成例を示す図である。
図５（Ａ）は、フロントカバーユニット３００の正面側を示す。固定部材３０５と回転操作部ユニット３５０は不図示としている。また、図５（Ｂ）は、弾性部材３８０を示す。弾性部材３８０は、略四角形状で、ウレタン素材部３８０ａを有する。弾性部材３８０を略四角形状とすることで、弾性部材３８０を作成する際に、金型が不要となるので、安価で製作が可能となる。３８０ｂは、ウレタン素材部３８０ａを内部構造部材３０２に貼り付け固定するための両面テープである。
【００１７】
図５（Ａ）に示すように、複数の弾性部材が、回転軸周りに配置されている。具体的には、回転操作部材３１０の回転軸Ｐを中心として、３個の弾性部材３８０、３８１、３８２が、円周方向に同一角度Ｎで均等に配置されている。弾性部材３８０、３８１、３８２を円周方向に同一角度で均等に配置することで、回転操作可能に狭持された回転操作部ユニット３５０のラジアル方向のがたつきを均等に抑制することができる。
【００１８】
図６は、固定部材と回転操作部材ユニットを含めたフロントカバーユニットの正面図の一例である。また、図７は、図６のＢ−Ｂ断面を示す図である。図７において、弾性部材３８０は、回転操作部材の回転軸方向に対して、内部構造部材３０２に傾斜して配置され、両面テープ３８０ｂを介して固定されている。弾性部材３８０の中央縁部３８０ｃが、回転操作部材３１０の内側面３１０ａを押圧している。
【００１９】
弾性部材３８０の中央縁部３８０ｃが、回転操作部材３１０の内側面３１０ａを押圧することで、回転操作部材３１０は、ラジアル方向の力Ｒと同時に、スラスト方向の力Ｓを常に受けることになる。力Ｒと力Ｓを回転操作部材３１０が受けることで、回転操作部材３１０を回転操作する際、一定のトルクが発生する。弾性部材３８０は内部構造部材３０２の円周方向に均等に３か所配置しているので、回転操作部材３１０は、それぞれの弾性部材の位置で同様の力Ｒと力Ｓを受ける。
【００２０】
回転操作部材３１０は、回転自在に保持するために、固定部材３０５と内部構造部材３０２に対して微少の空隙を保ちつつ構成する必要がある。前述の空隙が存在していると、回転操作部材３１０の回転操作の際に若干のがたつきが発生する。しかし、弾性部材３８０、３８１、３８２が、それぞれ回転操作部材３１０をラジアル方向へ力Ｒ、スラスト方向へ力Ｓを与えているので、前述の空隙を持たせた際のがたつきを抑制することが可能となる。その結果、回転操作部材３１０の回転操作時に適度なトルクを持たせた感触のよい操作感を得ることができる。
【００２１】
また、図５（Ａ）に示すように、弾性部材３８０、３８１、３８２のそれぞれの略近傍に、回転操作部材３１０を回転可能に狭持し、固定部材３０５と内部構造部材３０２を固定するための固定ネジ３７０ａ、３７０ｂ、３７０ｃが配置されている。回転操作部材３１０は、それぞれの弾性部材３８０、３８１、３８２からスラスト方向へ力Ｓを受けている。固定ネジ３７０ａ、３７０ｂ、３７０ｃを、弾性部材の略近傍に配置することで、スラスト方向の力Ｓの押圧力を安定させることができる。回転操作部材３１０が力Ｓを安定して受けることで、回転時のトルクばらつきが少なくなり、回転操作時の操作感が安定する。
【００２２】
図８（Ａ）、および図８（Ｂ）は、図５中のＡ部の詳細を示す図である。
図８（Ａ）は、図５中のＡ部周辺の斜視図である。図８（Ａ）に示すように、内部構造部材３０２には、弾性部材３８０を貼り付け固定される台座３０２ａが形成されている。台座３０２ａは、回転操作部材の回転軸方向に対して、傾斜した複数の面で形成されている。さらに、台座３０２ａの中央に形成されている面３０２ｂが、台座３０２ａの両側に形成されている面３０２ｃ、３０２ｄよりも突出して形成されている。したがって、面３０２ｂは、面３０２ｃ、３０２ｄよりも回転操作部材３１０の内側面３１０ａに向かって突出ように形成されている。弾性部材３８０は台座３０２ａに沿って貼り付け固定される。
【００２３】
図８（Ｂ）は、台座３０２ａに弾性部材３８０を貼り付け固定した状態を示している。図８（Ｂ）に示すように、弾性部材３８０は、台座３０２ａに沿って貼り付け固定されるので、弾性部材３８０の中央部に位置する中央縁部３８０ｃが、弾性部材３８０の周方向の両端に位置する角部３８０ｄおよび３８０ｅよりも外側に膨らんだ状態となる。これによって、弾性部材３８０の中央縁部３８０ｃが、回転操作部材３１０の内側面３１０ａを押圧している。弾性部材３８０の角部３８０ｄおよび３８０ｅは、中央縁部３８０ｃよりも回転中心（回転操作部材３１０の回転軸）へ向かって内側になる。そのため、角部３８０ｄおよび３８０ｅは、回転操作部材の内側面と接触しない。弾性部材３８０は、略四角形状で形成しているので、角部３８０ｄ、３８０ｅは、略直角形状になっている。弾性部材３８０の角部３８０ｄ、３８０ｅが、回転操作部材３１０の内側面３１０ａを押圧する構成とすると、角部３８０ｄ、３８０ｅが、内側面３１０ａと引っ掛かる。したがって、回転操作時に、弾性部材３８０が、内部構造部材３０２から剥がれてしまう可能性がある。弾性部材３８０が、内部構造部材３０２から剥がれてしまうと、回転操作時のトルクも安定せず、感触が良くなくなる。
【００２４】
本実施例では、弾性部材３８０の角部３８０ｄ、３８０ｅを、中央縁部３８０ｃよりも回転中心へ向かって内側に配置されるように貼付け固定している。これにより、回転操作部材３１０の内側面３１０ａと角部３８０ｄ、３８０ｅが引っ掛かってしまうことを防ぐことができる。また、弾性部材３８１、３８２についても同様の構成としている。
【００２５】
（実施例２）
以下に、実施例２について説明する。実施例１と同一部材には同一の符号を用い、重複する説明については省略する。
本実施例の回転操作部材ユニット３５０は、クリック機構を備える。クリック機構は、回転時にクリックのある位置とクリックのない位置を交互に作り出し、クリック位置で回転操作部ユニット３５０を停止させ、所望の値に設定しやすくする。
【００２６】
図９は、回転操作部ユニットの分解斜視図である。図１０は、図４のＥ−Ｅ断面を示す図である。具体的には、図１０は、クリック機構の構造を示す。また、図１１は、回転操作部材ユニットの背面側の構成例を示す図である。具体的には、図１１は、回転操作部材ユニット３５０と鋼球３０７の位置関係を示す。
【００２７】
まず、図９について説明する。回転操作部材３１０は、環状板部材３２０が両面テープ３６０を介して、回転操作部材３１０に固定されている。環状板部材３２０の周方向に、複数の切り欠き部３２２と切り欠かれていない凸部３２１とが交互に形成されている。
【００２８】
次に、クリック機構について、図１０を用いて説明する。クリック機構は、回転操作部材３１０に位置規制固定された環状板部材３２０、環状板部材３２０に当接する球形状部材である鋼球３０７、鋼球３０７を環状板部材３２０に向けて付勢する付勢ばね３０９、付勢ばね３０９の脱落を防止する板部材３０８を備える。回転操作部材３１０を回転させると、鋼球３０７は付勢ばね３０９の付勢力で環状板部材３２０の切り欠き部３２２に係合し、次に環状板部材３２０の切り欠き部３２２から脱出して環状板部材３２０の凸部３２１上を通過する。回転操作部材３１０の回転操作によって、鋼球３０７と切り欠き部３２２とが係合する状態と係合しない状態とが繰り返すことによって、クリック感が発生する。すなわち、環状板部材３２０は、回転操作部材３１０の回転操作に伴って回転してクリック感を発生させる。
【００２９】
鋼球３０７が環状板部材３２０の切り欠き部３２２に嵌入したときにクリックを発生させ、回転操作部材３１０は回転を停止した状態になる。この時の回転操作部ユニット３５０の位置を、本実施例ではクリック位置と表現する。クリック位置の数は、環状板部材３２０の切り欠き部３２２の数だけ存在する。
【００３０】
回転操作部ユニット３５０は、内部構造部材３０２と、回転可能に空隙を有して保持されている。図１１に示すように、回転操作部材ユニット３５０が、クリック位置にあり、回転を停止している場合、回転操作部材ユニット３５０は、内部構造部材３０２との間に空隙を持つ。したがって、鋼球３０７を中心として、矢印Ｍの両方向にがたつきが発生することになる。本実施例では、図１２に示すように、弾性部材３８１、３８２の円周方向の配置を、矢印Ｍの両方向のがたつきを効果的に抑制する配置とする。
【００３１】
図１２は、フロントカバーユニットの正面側の構成例を示す図である。
回転操作部ユニット３５０は不図示である。図１２において、クリック位置である鋼球３０７と回転軸Ｐを結んだ直線Ｖ１とする。また、回転軸Ｐと弾性部材３８１、３８２の中心位置を結んだそれぞれの直線をＶ２、Ｖ３とする。
【００３２】
本実施例では、直線Ｖ１と直線Ｖ２との角度と、直線Ｖ１と直線Ｖ３との角度とが同一角度Ｋとなるように、弾性部材３８１、３８２を配置する。図１２に示すように弾性部材３８１と３８２を配置することで、矢印Ｍの方向のがたつきを抑制する逆方向へ、前記弾性部材３８１、３８２が回転操作部材ユニット３５０を押圧することになる。したがって、回転操作部材ユニット３５０の矢印Ｍの両方向のがたつきを効果的に抑制することができる。また、残りの一つの弾性部材３８０は、鋼球３０７と近傍に配置することで、ラジアル方向の全体のがたつきをさらに効果的に抑制することができる。
【００３３】
以上説明した実施例１、実施例２の構成によれば、回転式の操作部において、回転操作部と、回転軸受け部との間に、ゴムリングを配置することがない構成をとることができる。したがって、温度変化によるトルクばらつきが発生しない。その結果、常に安定した回転操作感を有した回転操作部材を備えた電子機器を提供することが実現できる。
【００３４】
以上、本発明の好ましい実施例について説明したが、本発明はこれらの実施例に限定されず、その要旨の範囲内で種々の変形及び変更が可能である。
【符号の説明】
【００３５】
３０５  固定部材
３１０  回転操作部材
３８０  弾性部材
【図１】
2017054031.tif 000003
【図２】
2017054031.tif 000004
【図３】
2017054031.tif 000005
【図４】
2017054031.tif 000006
【図５】
2017054031.tif 000007
【図６】
2017054031.tif 000008
【図７】
2017054031.tif 000009
【図８】
2017054031.tif 000010
【図９】
2017054031.tif 000011
【図１０】
2017054031.tif 000012
【図１１】
2017054031.tif 000013
【図１２】
2017054031.tif 000014